(57)【特許請求の範囲】
【請求項１】
シャープペンシル体を含む複数の筆記体を摺動コイルバネと摺動体を介して軸筒後端方向に常に付勢した状態で収容し、各筆記体との係脱機構を具備し且つ、後端部に消ゴムを収納して成る筆記体収容ケースを軸筒内に装着し、当該収容ケースを軸筒の先端部方向へ押圧してシャープペンシル体の鉛芯を繰出すように構成した多芯筆記具において、前記軸筒（１）を先部筒（１ａ）と後部筒（１ｂ）を着脱可能に連結して形成し、前記筆記体収容ケース（３）の軸筒（１）への挿入部（３ｈ）に後部筒（１ｂ）の肉厚と同等程度の高さを有する係合用突起（３ａ）と、同様に肉厚の半分程度の高さを有する案内用突起（３ｂ）を径方向では係合用突起（３ａ）を含め略等角度間隔に、また軸心方向では係合用突起（３ａ）より軸筒先端寄りにずらせて配設するとともに、後部筒（１ｂ）の内面にその後端面から先端方向に延びる前記案内用突起（３ｂ）が通る案内凹溝（１ｇ）と、後部筒後端面に前記係止用突起（３ａ）をガイドする切欠溝（１ｄ）と該切欠溝（１ｄ）と同一線上に係止用突起（３ａ）が係合し軸心方向を所定ストローク移動可能な長さで且つ、係止壁（１ｅ）を有する係合溝（１ｆ）を穿設し、筆記体収容ケース（３）が筆記体（２）と共に軸筒（１）内に装着された状態において、軸筒（１）に対し筆記体収容ケース（３）が鉛芯（Ｌ）を繰り出すに充分な軸心方向の動きが得られるように構成したことを特徴とするシャープペンシル体を含む多芯筆記具。
【請求項２】
筆記体収容ケース（３）の消ゴム（Ｅ）を収納する後部穴（３ｆ）と、筆記体（２）と係合して収容される摺動体（４）が位置する摺動溝（３ｄ）との隔壁部（３ｃ）を、該摺動溝（３ｄ）の一部を延長して貫通孔（３ｇ）と成し、筆記体収容ケース（３）の筆記体係脱用突起部（３ｅ）と係合する摺動体（４）の傾斜面で形成した係合突部（４ａ）が、筆記体収納状態で前記貫通孔（３ｇ）に係合するように構成したことを特徴とする請求項１に記載のシャープペンシル体を含む多芯筆記具。
【発明の詳細な説明】
【０００１】
【発明の属する技術分野】
本発明は、ユニット自体が軸心方向で所定ストローク往復移動して鉛芯を繰り出す仕様のシャープペンシル体を含む複数の筆記体を収容した筆記体収容ケースを軸筒内に装着し且つ、この筆記体収容ケースを軸筒先端部方向へ押圧してシャープペンシル体の鉛芯を繰り出すようにしたシャープペンシル体を含む多芯筆記具に関する。
【０００２】
【従来の技術】
従来から、ユニット自体が軸心方向で所定ストローク往復移動して鉛芯を繰り出す仕様のシャープペンシル体を含む複数の筆記体を一つの軸筒内に収容した多芯筆記具は広く知られている。また、本発明は複数の筆記体を筆記体収容ケース内に収容するとともに、筆記体が相互に接触し合って、筆記体収容ケース内に設けた筆記体係止用突起部に係脱して軸筒の先端開口部からその筆端部を出没する構成の多芯筆記具に係わるものであって、シャープペンシル体を含む複数の筆記体はそれぞれ、筆記体収容ケース外に露出する摘み部を有し、筆記状態を得たい筆記体の摘み部を摺動させて、係止用突起部に係合させるとともに、筆記状態にある他の筆記体を係止用突起部から離脱させるという公知の出没機構を具備する多芯筆記具に関するものである。
【０００３】
この種のシャープペンシル体を含むものにあっては、筆記体収容ケース内に上記のような出没機構を具備するだけでは実効が得られず、シャープペンシル体の鉛芯繰り出し機構の付加が必要になる。この鉛芯の繰り出し機構にもまた、種々の手段があるが、本発明はシャープペンシル体を含む複数の筆記体を収容する筆記体収容ケース自体を軸筒の先端部方向へ押圧して鉛芯繰り出しを実現するものに係わるものであって、この筆記体収容ケースを押圧してシャープペンシル体の鉛芯繰り出しを実現するものでは、鉛芯の補充，筆記体の交換や、出没機構の修理などの必要から筆記体収容ケースと軸筒との連結構造に相当の配慮が必要となり、部品点数が増加したりまた、構造が複雑化するなどの問題があった。
【０００４】
実公平７−２２３４号の考案は、上記の従来技術の状態に鑑みなされたものであって、シャープペンシル体を含む複数の筆記体１３を収容する筆記体収容ケース１１に軸筒後端部内への挿入部１１ａを設けるとともに、この軸筒後端部に、軸筒後端開口部１２ａで開口する誘導溝１２ｂと、この誘導溝と連通する所定長さの垂直状溝１２ｃを穿設し且つ、筆記体収容ケース１１の挿入部１１ａに、垂直状溝１２ｃに設けた係止部１２ｄに係合する案内突起１１ｂを取付け、筆記体収容ケース１１の挿入部１１ａが軸筒後端開口部１２ａから所定長さ露出するように、筆記体収容ケース１１を軸筒後端開口部１２ａ方向へ付勢して軸筒１２内に装着したものである（(図７)参照）。
【０００５】
この考案では確かに、筆記体収容ケースと軸筒との着脱可能な連結構造が簡便に得られまた、筆記体収容ケースの挿入部に取付けた案内突起が軸筒に設けた所定長さの垂直溝内を移動して、筆記体収容ケースの軸心方向の往復移動を保証することから、シャープペンシル体の鉛芯の繰り出しがスムーズに行えることになって、従来に比べ構造の簡素化されたシャープペンシル体を含む多芯筆記具が提示されている。
【０００６】
しかしながら、上記の考案においては、筆記体収容ケースの挿入部に取付けた案内突起が、軸筒の後端開口部に穿設した誘導溝を通り垂直状溝に至って筆記体収容ケースと軸筒とが連結する構造であるが故に、通常の使用状態では不便は起こらないが、ポケットに差して携行中に筆記体収容ケースと軸筒の接合部付近を強圧されたり、使用上の説明なしに筆記体収容ケースと軸筒が螺合嵌合との想定で回転力が加えられると、垂直状溝が変形して案内突起が溝からはずれ、分解されるが如き状態に遭遇することが起きた。
【０００７】
また、筆記体収容ケース外に露出して軸心方向を往復移動する筆記体と連動する摺動体の摘み部は筆記体の没入時に外方への飛び出しを防止するため、実開昭６１−１４０８８７号の如く摺動体の一部を筆記体収容ケースの一部に係合させ、或いは実開平４−１２４６９１号の如く摺動体の一部を軸筒の一部に係合させて構成することも、この種の多芯筆記具にあっては安心して携行できるようにするために重要な構成要素となるものである。
【０００８】
【発明が解決しようとする課題】
そこで、筆記体収容ケースに軸筒後端部内への挿入部を形成し且つ、この挿入部に案内突起を取付けるとともに、軸筒後端部に軸筒後端開口部で開口する誘導溝と、誘導溝に連通し且つ、筆記体収容ケースの案内突起が係合する係止部を有する垂直状溝を設けることにより、筆記体収容ケースと軸筒との着脱を簡便にし、筆記体の交換やシャープペンシル体の鉛芯の補充に便宜をもたらし、鉛芯繰り出しのための押圧力の付加に安直さをもたらした前述の考案の利点を残しながら、逆に筆記体収容ケースと軸筒がはずれて分解状態となる不測の事態への対応と摺動体が筆記体没入時に外方に飛び出す防護策が同時に得られる改良が強く求められていた。
【０００９】
【課題を解決するための手段】
本発明はかかる状態に鑑みてなされたものであって、軸筒を先部筒と後部筒を着脱可能に連結して形成し、筆記体収容ケースの軸筒への挿入部に後部筒の肉厚と同等程度の高さを有する係合用突起と、同様に肉厚の半分程度の高さを有する案内用突起を径方向では筆記体が２本の場合は係合用突起のうら側位置に、仮に３本の場合は略１２０°間隔で、また軸心方向では係合用突起より軸筒先端寄りにずらせて配設するとともに、後部筒の内面にその後端面から先端方向に延びる案内用突起が通る案内凹溝と、後部筒後端面に係止用突起をガイドする切欠溝と該切欠溝と同一線上に係止用突起が係合し軸心方向を所定ストローク移動可能な長さで且つ、係止壁を有する係合溝を穿設し、筆記体収容ケースが筆記体と共に軸筒内に装着された状態において、軸筒に対し筆記体収容ケースが鉛芯を繰り出すに充分な軸心方向の動きが得られるように構成することをもって、一方の筆記体収容ケースと軸筒がはずれて分解状態となる不測の事態に対する手段としている。
【００１０】
また、筆記体収容ケースの消ゴムを収納する後部穴と筆記体と一体化して収容される摺動体が位置する摺動溝との隔壁部を、摺動溝の一部を延長して貫通孔と成し、筆記体収容ケースの筆記体係脱用突起部と係合する傾斜面で形成した摺動体の係合突部が、貫通孔に係合するように構成することをもって、もう一方の摺動体が筆記体没入時に外方へ飛び出す問題を解決するための手段としている。
【００１１】
【発明の実施の形態】
本発明は、ユニット自体が軸心方向で所定ストローク往復移動して鉛芯を繰り出す仕様のシャープペンシル体を含む複数の筆記体を摺動コイルバネと摺動体を介して軸筒後端方向に常に付勢した状態で収容し、各筆記体との係脱機構を具備し且つ、後端部に消ゴムを収納して成る筆記体収容ケースを軸筒内に装着し、当該筆記体収容ケースを軸筒先端方向へ押圧してシャープペンシル体の鉛芯を繰り出すように構成した多芯筆記具の改良を意図したものである。
【００１２】
第一の改良点は軸筒に対する筆記体収容ケースの装着手段である。具体的にはまず、軸筒を先部筒と後部筒を着脱可能に連結して形成し、後部筒に軸心方向では所定長さの移動量が与えられるが、径方向には回動が完全に規制された係合手段すなわち、筆記体収容ケースの軸筒への挿入部外側面に後部筒の肉厚と同等程度の高さを有する係合用突起１個と、同肉厚の半分程度の高さを有する案内用突起を径方向では筆記体が２本の場合は係合用突起のうら側位置に、仮に３本の場合は略１２０°間隔で、また軸心方向では係合用突起より軸筒先端寄りにずらせて配設するとともに、後部筒の内面にその後端面から先端方向に延びる前記案内用突起が通る案内凹溝と、後部筒後端面に前記係止用突起をガイドする切欠溝と該切欠溝と同一線上に係止用突起が係合し軸心方向を所定ストローク移動可能な長さで且つ、係止壁を有する係合溝を穿設して、軸筒内に筆記体収容ケースを装着させるものである。これにより筆記体収容ケースは軸筒に対し径方向の回動が規制され、軸心方向ではシャープペンシル体の鉛芯の繰り出しを行う所定ストロークの往復移動が与えられ、鉛芯の補充や他の筆記体の交換は先部筒と後部筒を着脱して行えるよう構成したものである。
【００１３】
もう一つの改良点は、筆記体が軸筒内に没入状態にある時、筆記体と連動する摺動体も後退するが、摺動体が径方向で外方に飛び出さないようにするためには何らかの支えが必要である。本発明はこれを筆記体収容ケースの一部を変更する簡明な手段で達成したもので具体的には、筆記体収容ケースの消ゴムを収納する後部穴と摺動体が位置する摺動溝との隔壁部を、摺動溝の一部を延長して貫通孔と成し、筆記体収容ケースの筆記体係脱用突起部と係合する傾斜面で形成した摺動体の係合突部が、前記貫通孔に係合するように構成したものである。
【００１４】
【実施例】
以下、本発明の実施の形態を実施例を示した図面を基に詳説する。
【００１５】
図１は本発明の実施例であって、軸筒１は先部筒１ａと後部筒１ｂで形成し先部筒１ａと後部筒１ｂは螺合嵌合等により着脱自在に連結されていて、先部筒１ａは筆記体２の筆端部が出入りする先端開口部１ｃを有し、後部筒１ｂはその後端部に筆記体収容ケース３の係合用突起３ａがガイドされ且つ、係合する切欠溝１ｂと係止壁１ｅを有する軸心方向に延びる所定長さの係合溝１ｆが穿設され更に、筆記体収容ケース３の案内用突起３ｂ（(図４)参照）が通る案内凹溝１ｇ（(図２)(図３)参照）が後端面より先端方向に長くその内面に設けられている。
【００１６】
筆記体収容ケース３の側壁には収容する筆記体２の数だけ隔壁部３ｃに達する摺動溝３ｄが穿設してあり、中央部には所定長さの筆記体係脱用突起部３ｅが設けてあって、各筆記体２の摺動体４に設けられた係合突部４ａが係脱する。また、隔壁部３ｃの後部には消ゴムＥを収納する後部穴３ｆが設けられ、後部穴３ｆの外周には消ゴムカバー５が着脱手段を設けて装着される。更に、前記の隔壁部３ｃには後部穴３ｆに貫通して摺動溝３ｄと連通する貫通孔３ｇが筆記体２の数設けてある。又、軸筒１への挿入部３ｈの外側面には、後部筒１ｂの係合溝１ｆと係合する係合用突起３ａと案内凹溝１ｇに通る案内用突起３ｂが実施例の如く筆記体が２個の場合は径方向では係合用突起３ａのうら側位置に、仮に筆記体２が３本の場合は略１２０°の間隔で、また軸心方向では係止用突起３ａより軸筒先端寄りにずらせて配設してある（(図４)参照）。
【００１７】
筆記体収容ケース３の摺動溝３ｄ内には各筆記体２と係合一体化した摺動体４が摺動コイルバネＳ１の弾発力を受けて収容される。摺動体４は、摘み部４ｂが摺動溝３ｄから外方へ露出しており、うら側には相互に対向する上部突起４ｃと下部突起４ｄが設けてあって、その頭部には収容ケース３の筆記体係脱用突起部３ｅと係合する傾斜面で形成した係合突部４ａが形成されていて、該頭部が隔壁部３ｃに当接した時、係合突部４ａが収容ケース３の貫通孔３ｇに係合するように構成されている。かくして、筆記体２が軸筒１内に没入した状態で、摺動体４の外方への飛び出しが防止されることになる。
【００１８】
軸筒後端開口部１ｈから装着される筆記体収容ケース３はその先端面３ｊと後部筒１ｂに設けた段部１ｊ間に位置するコイルスプリングＳ２によって軸筒後端開口部１ｈ方向に弾発されている。筆記体収容ケース３を軸筒１に装着するには、挿入部３ｈの外側面に設けた案内用突起３ｂ（(図４)参照）が後部筒１ｂの案内凹溝１ｇ（(図２)参照）にまず入り、ガイドされて、やがて係合用突起３ａが切欠溝１ｄに当接する。これからの装着には軸筒後端開口部１ｈが径方向の変形を伴う力を更に加えることが必要で、これにより係止用突起３ａは係止壁１ｅをくぐり抜け係合溝１ｄに飛び込んで係合する。かくして、係止用突起３ａは係合溝１ｄ内で軸心方向の所定の動きを与えられるとともに、係止壁１ｅとの係合によりコイルスプリングＳ２の弾発力に抗することは勿論のこと、軸筒１に対し筆記体収容ケース３を引き抜こうとする力にも十分抗しまた、回動しようとする力にも係止用突起３ａと係合溝１ｄの係合に加え、案内用突起３ｂと案内凹溝１ｇも径方向に係合しているので、特別な動作を加えられると分解してしまう不安を払拭するとともに安心が与えられた。
【００１９】
図４にも示されているとおり、図中３ｋは軸筒１内での各筆記体２の安定した移動を保証するガイド孔３ｍを設けるとともに、各筆記体２を弾発する摺動コイルバネＳ１を受け止める座部であって、筆記体収容ケース３と一体成形されている。
【００２０】
また図６は、本発明で使用される公知のシャープペンシル体２ａの概説図であるが、外筒ａ内に鉛芯収容管ｂがコイルスプリングｃを介して、遊嵌状に装着してあり、この鉛芯収容管ｂを押圧すると、シャープペンシル体２ａが軸筒先端開口部１ｃ方向へ移動しやがて、外筒ａの先端段部ｄを軸筒１の先端開口部１ｃに当接させる。この時、更に鉛芯収容管ｂをコイルスプリングｃの弾発力に抗して押圧すると、鉛芯収容管ｂの前端に設けたチャック部ｅが開き、鉛芯Ｌを前方へ繰り出す。押圧力を解除すると、チャック部ｅが閉じて鉛芯Ｌを挟持する。かくして、鉛芯収容管ｂへの押圧力の付加と解除を繰り返し行うことによって、鉛芯Ｌが所定の長さにわたって繰り出されることになる。
【００２１】
いま、図１の状態から図５に示すシャープペンシル体２ａの筆記状態を得るには、シャープペンシル体２ａの摺動体４に設けた摘み部４ｂを軸筒先端開口部１ｃ方向へ押圧し、摺動体４の係合突部４ａを筆記体係脱用突起部３ｅに係合させることによって、筆記状態が実現する。
【００２２】
また、鉛芯Ｌを繰り出すときは図５において、筆記体収容ケース３への押圧力の付加とその解除を繰返すことによって、所定長さに繰り出しが実現する。つまり、筆記体収容ケース３の消ゴムカバー５への押圧力の付加と解除をコイルスプリングＳ２及びシャープペンシル体２ａのコイルスプリングｃの弾発力に抗して繰返すことによって、所定長さの鉛芯Ｌの繰り出しが実現することになる。軸筒後端開口部１ｈに設けられた、筆記体収容ケース３の係合用突起３ａが係合する係合溝１ｆの長さが筆記体収容ケース３の移動量に対応する長さに設定してある（(図１)参照）ことは勿論である。
【００２３】
他の筆記体２ｂの筆記状態を実現するには図５において、他の筆記体２ｂの摺動体４に設けた摘み部４ｂを軸筒先端開口部１ｃ方向に移動させればよく、かくすることによって、筆記体２ｂの摺動体４の下部突起４ｄがシャープペンシル体２ａの摺動体４の上部突起４ｃに当接しこれを蹴って、シャープペンシル体２ａの摺動体係合突部４ａを筆記体係脱用突起部３ｅから離脱させるとともに、筆記体２ｂの係合突部４ａを係脱用突起部３ｅへ係合させる。この結果、シャープペンシル体２ａが摺動コイルバネＳ１の弾発力によって復元し、摺動体頭部を隔壁部３ｃに当接させると同時的に係合突部４ａが貫通孔３ｇと係合して、摺動体４の外方への飛び出しを防止するとともに、筆記体２ｂの筆記状態が実現する。
【００２４】
【発明の効果】
本発明は以上のとおり、筆記体の出没機構を内蔵するとともに、軸筒内にコイルスプリングを介して装着した筆記体収容ケースに、軸筒後端開口部への挿入部を形成し且つ、この挿入部の外側面に係合用突起と案内用突起を設けるとともに、軸筒後端開口部に案内凹溝と係合溝を設け、案内用突起を案内凹溝内へまた、係合用突起を係合溝へそれぞれ係合させることにより、軸筒から筆記体収容ケースが離脱することも回動させることもできなく構成したので、誤って筆記体収容ケースを引っ張ったり、回そうとしても分解することが無くなった。
【００２５】
また、各筆記体が筆記状態から没入状態に移行する時、摺動体の係合突部がかならず筆記体収容ケースの隔壁部に摺動溝と連通させ貫通して設けた貫通孔に係合するので、例え摺動体の外方に突出している摘み部に外力が加えられても外方へ飛び出す心配がなくなり、上記の軸筒と筆記体収容ケースの係合手段と併せ簡単な構造で安直にしかも安心して使用できる便利なシャープペンシル体を含む多芯筆記具を提供するに至ったものである。
【図面の簡単な説明】
【図１】本発明を実施したシャープペンシル体を含む多芯筆記具の説明図で、軸筒と筆記体収容ケースの係合手段の一部外観を示し且つ、各筆記体が軸筒内に没入した状態を示す縦断面図である。
【図２】図１の軸筒後部筒を示す縦断面図である。
【図３】図２のＡ−Ａ矢視断面図である。
【図４】図１の筆記体収容ケースを示す正面図である。
【図５】図１の状態からシャープペンシル体を筆記状態に繰り出した状態を示す総縦断面図である。
【図６】本発明で利用するシャープペンシル体の概略説明図である。
【図７】本発明が改良を意図した先行技術例であるシャープペンシル体を含む多芯筆記具の説明図である。
【符号の説明】
１    軸筒
１ａ  先部筒
１ｂ  後部筒
１ｄ  切欠溝
１ｅ  係止壁
１ｆ  係合溝
１ｇ  案内凹溝
２    筆記体
２ａ  シャープペンシル体
２ｂ  他の筆記体
３    筆記体収容ケース
３ａ  係合用突起
３ｂ  案内用突起
３ｃ  隔壁部
３ｄ  摺動溝
３ｅ  筆記体係脱用突起部
３ｆ  後部穴
３ｇ  貫通孔
３ｈ  挿入部
４    摺動体
４ａ  係合突部
Ｓ１  摺動コイルバネ
Ｅ    消ゴム
Ｌ    鉛芯
【図１】
0003657034.tif 000002
【図２】
0003657034.tif 000003
【図３】
0003657034.tif 000004
【図４】
0003657034.tif 000005
【図５】
0003657034.tif 000006
【図６】
0003657034.tif 000007
【図７】
0003657034.tif 000008